(57)【要約】【課題】接着フィルム付きのウェーハの分割後にデバイス間隔を広げた状態で維持すること。【解決手段】ウェーハ（Ｗ）を個々のデバイスチップ（Ｃ）に分割し、各デバイスチップの裏面に接着フィルム（Ａ）を装着するウェーハの加工方法であって、複数のデバイスチップを接着フィルム付きのエキスパンドテープ（Ｔ）を介して環状フレーム（Ｆ）で支持するステップと、エキスパンドテープの裏面側からピン部材（２５）で押し上げて、ウェーハの外周縁からはみ出した接着フィルムを破断するステップと、エキスパンドテープを拡張してデバイスチップの間を拡張すると共に接着フィルムをデバイスチップに沿って破断するステップと、ウェーハの外周と環状フレームの内周との間を加熱し、接着フィルムの破断箇所でエキスパンドテープを収縮させてデバイスチップの間隔を維持するステップとを有する構成にした。【選択図】図４
2019096801.tif 000002
【特許請求の範囲】
【請求項１】
表面に複数の分割予定ラインが格子状に形成されているとともに該複数の分割予定ラインによって区画された複数の領域にデバイスが形成されたウェーハを、分割予定ラインに沿って個々のデバイスに分割するとともに、各デバイスの裏面にダイボンディング用の接着フィルムを装着するウェーハの加工方法であって、
分割予定ラインに沿って分割され、または分割予定ラインに沿って破断起点が形成されたウェーハの裏面に該接着フィルムを装着するとともに該接着フィルム側にエキスパンド性を有するとともに所定温度以上の加熱で収縮性を発現するエキスパンドテープを貼着し該エキスパンドテープの外周部を環状フレームによって支持するウェーハ支持ステップと、
該ウェーハ支持ステップを実施した後に、該エキスパンドテープを拡張して該複数のデバイス間を拡張すると共に該接着フィルムを個々のデバイスに沿って破断する接着フィルム破断ステップと、
該接着フィルム破断ステップを実施した後、ウェーハの外周縁外側と該環状フレームの内周との間の領域を加熱して該エキスパンドテープを収縮させることで、隣接する該デバイス間の間隔を維持するデバイス間隔維持ステップとを含み、
該接着フィルムは、該エキスパンドテープよりも弾性域が狭く且つ破断強度が低く構成され、
該接着フィルム破断ステップを実施する前に、ウェーハの外周縁からはみ出した該接着フィルムを該エキスパンドテープの裏面側からピン部材で該接着フィルムの弾性域を超えて変形するように押し上げることで該接着フィルムを破断しつつ、該環状フレームと該ピン部材とを相対的に回転させてウェーハ外周に沿ってウェーハの外周縁からはみ出した該接着フィルムを破断する外周破断ステップを含み、
該外周破断ステップにおいては、該接着フィルムの破断箇所で該エキスパンドテープが収縮することを特徴とするウェーハの加工方法。
【請求項２】
該ウェーハ支持ステップを実施する前に、ウェーハの表面側から分割予定ラインに沿ってデバイスの仕上がり厚さよりも深い分割溝を形成する分割溝形成ステップと、該分割溝形成ステップが実施されたウェーハの表面に保護部材を貼着する保護部材貼着ステップと、該保護部材貼着ステップが実施されたウェーハの裏面を研削して裏面に該分割溝を表出させ、ウェーハを個々のデバイスに分割する裏面研削ステップと、を実施する、請求項１記載のウェーハの加工方法。
【発明の詳細な説明】
【技術分野】
【０００１】
本発明は、ウェーハを個々のデバイスに分割するウェーハの加工方法に関する。
【背景技術】
【０００２】
例えば、半導体デバイス製造工程においては、略円板状のウェーハの表面に分割予定ラインが格子状に形成され、分割予定ラインによって区画された各領域にＩＣ、ＬＳＩ等のデバイスが形成されている。このようなウェーハの裏面には、ダイアタッチフィルム（ＤＡＦ）と呼ばれるダイボンディング用の接着フィルムが貼着されている。接着フィルムは、ポリイミド系樹脂、エポキシ樹脂、アクリル系樹脂等で厚さ５−１５０μｍに形成されており、ウェーハと共に分割予定ラインに沿ってデバイス毎に分割される（例えば、特許文献１参照）。
【０００３】
一方で、ウェーハはエキスパンドテープを介して環状フレームに支持され、エキスパンドテープの拡張によって個々のデバイスに分割される。エキスパンドテープの拡張によってデバイス間隔が広がるが、エキスパンドテープの解除によって大きな弛みが生じて隣接するデバイス同士が接触する可能性がある。そこで、ウェーハの外周と環状フレームの内周の間のエキスパンドテープを加熱して熱収縮させることで、デバイス間隔を維持する方法が提案されている（例えば、特許文献２参照）。デバイス間隔を広げた状態で維持することで、後のハンドリング等を容易にしている。
【先行技術文献】
【特許文献】
【０００４】
【特許文献１】特開２００９−０２８８１０号公報
【特許文献２】特開２０１２−１５６４００号公報
【発明の概要】
【発明が解決しようとする課題】
【０００５】
ところで、ウェーハの外周縁からエキスパンドテープ上に接着フィルムがはみ出していると、エキスパンドテープの熱収縮が接着フィルムによって阻害されるという問題があった。接着フィルムはエキスパンドテープよりも熱収縮性が低いため、エキスパンドテープと共に接着フィルムが加熱されても、接着フィルムによってエキスパンドテープの収縮が抑えられて弛みを除去することができない。このため、デバイス間隔を広げた状態を維持することが困難になっていた。
【０００６】
本発明はかかる点に鑑みてなされたものであり、接着フィルム付きのウェーハの分割後にデバイス間隔を広げた状態で維持可能なウェーハの加工方法を提供することを目的の１つとする。
【課題を解決するための手段】
【０００７】
本発明の一態様のウェーハの加工方法は、表面に複数の分割予定ラインが格子状に形成されているとともに該複数の分割予定ラインによって区画された複数の領域にデバイスが形成されたウェーハを、分割予定ラインに沿って個々のデバイスに分割するとともに、各デバイスの裏面にダイボンディング用の接着フィルムを装着するウェーハの加工方法であって、分割予定ラインに沿って分割され、または分割予定ラインに沿って破断起点が形成されたウェーハの裏面に該接着フィルムを装着するとともに該接着フィルム側にエキスパンド性を有するとともに所定温度以上の加熱で収縮性を発現するエキスパンドテープを貼着し該エキスパンドテープの外周部を環状フレームによって支持するウェーハ支持ステップと、該ウェーハ支持ステップを実施した後に、該エキスパンドテープを拡張して該複数のデバイス間を拡張すると共に該接着フィルムを個々のデバイスに沿って破断する接着フィルム破断ステップと、該接着フィルム破断ステップを実施した後、ウェーハの外周縁外側と該環状フレームの内周との間の領域を加熱して該エキスパンドテープを収縮させることで、隣接する該デバイス間の間隔を維持するデバイス間隔維持ステップとを含み、該接着フィルムは、該エキスパンドテープよりも弾性域が狭く且つ破断強度が低く構成され、該接着フィルム破断ステップを実施する前に、ウェーハの外周縁からはみ出した該接着フィルムを該エキスパンドテープの裏面側からピン部材で該接着フィルムの弾性域を超えて変形するように押し上げることで該接着フィルムを破断しつつ、該環状フレームと該ピン部材とを相対的に回転させてウェーハ外周に沿ってウェーハの外周縁からはみ出した該接着フィルムを破断する外周破断ステップを含み、該外周破断ステップにおいては、該接着フィルムの破断箇所で該エキスパンドテープが収縮することを特徴とする。
【０００８】
この構成によれば、接着フィルムがエキスパンドテープよりも弾性域が狭く且つ破断強度が低いため、エキスパンドテープがピン部材で押し上げられて、接着フィルムが弾性域を超えた破断強度以上に変形することでウェーハの外周側で破断される。このため、接着フィルムがエキスパンドテープの拡張によってデバイス間が広げられて、ウェーハの外周と環状フレームの内周の間が加熱されても、接着フィルムの破断によってエキスパンドテープの熱収縮が許容される。よって、エキスパンドテープの熱収縮が接着フィルムによって妨げられることがなく、デバイス間隔を広げた状態で維持することができる。
【０００９】
本発明の一態様のウェーハの加工方法において、該ウェーハ支持ステップを実施する前に、ウェーハの表面側から分割予定ラインに沿ってデバイスの仕上がり厚さよりも深い分割溝を形成する分割溝形成ステップと、該分割溝形成ステップが実施されたウェーハの表面に保護部材を貼着する保護部材貼着ステップと、該保護部材貼着ステップが実施されたウェーハの裏面を研削して裏面に該分割溝を表出させ、ウェーハを個々のデバイスに分割する裏面研削ステップと、を実施する。
【発明の効果】
【００１０】
本発明によれば、ウェーハの外周縁からはみ出した接着フィルムを破断することで、接着フィルム付きのウェーハの分割後にデバイス間隔を広げた状態で維持することができる。
【図面の簡単な説明】
【００１１】
【図１】本実施の形態のウェーハの斜視図である。
【図２】比較例のウェーハの加工方法の説明図である。
【図３】本実施の形態のウェーハの加工方法の説明図である。
【図４】本実施の形態のウェーハの加工方法の説明図である。
【発明を実施するための形態】
【００１２】
以下、添付図面を参照して、本実施の形態のウェーハの加工方法について説明する。図１は、本実施の形態のウェーハの斜視図である。図２は、比較例のウェーハの加工方法の説明図である。
【００１３】
図１に示すように、ウェーハＷの表面には分割予定ライン（不図示）が格子状に形成されると共に、複数の分割予定ラインに区画された各領域にデバイスＤ（図３参照）が形成されている。このウェーハＷは分割予定ラインに沿って個々のデバイスチップ（デバイス）Ｃに分割されており、エキスパンドテープＴに設けたダイボンディング用の接着フィルムＡに貼着されている。エキスパンドテープＴの外周には環状フレームＦが貼着され、個々のデバイスチップＣがエキスパンドテープＴを介して環状フレームＦに支持されている。接着フィルムＡは、エキスパンドテープＴの拡張によってデバイスチップＣに沿って分割される。
【００１４】
図２に示すように、一般的なエキスパンド装置では、エキスパンドテープＴの拡張解除によってウェーハＷの外周と環状フレームＦの内周の間に弛み３５が生じる。ウェーハＷの分割後のデバイスチップＣ同士が接触しないように、エキスパンドテープＴの弛み３５をヒータ３３で熱収縮（ヒートシュリンク）させている。しかしながら、ウェーハＷの外周と環状フレームＦの内周の間には、ウェーハＷからはみ出した接着フィルムＡが存在しており、この接着フィルムＡによってエキスパンドテープＴの熱収縮が阻害されて、デバイス間隔を広げたままで維持することができない。
【００１５】
より詳細には、エキスパンドテープＴと接着フィルムＡとでは熱収縮性が異なっており、接着フィルムＡはエキスパンドテープＴが熱収縮する温度まで加熱しても収縮しない。このため、ウェーハＷから接着フィルムＡがはみ出した箇所においてエキスパンドテープＴの弛み３５が十分に収縮せず、エキスパンドテープＴの拡張解除によってデバイスチップＣの間隔が狭くなる。このように、エキスパンドテープＴの弛んだ箇所を集中的に加熱しただけでは、加熱箇所に接着フィルムＡが存在すると、デバイス間隔を十分に維持することができない。
【００１６】
そこで、本実施の形態のウェーハの分割方法では、エキスパンドテープＴの弛み３５を熱収縮させる前に、ウェーハＷの外周縁からはみ出した接着フィルムＡを破断するようにしている。接着フィルムＡに予め破断させておくことで、エキスパンドテープＴが収縮しても接着フィルムＡが破断箇所に沿って隆起して、エキスパンドテープＴの収縮が許容される。よって、ウェーハＷの外周縁から接着フィルムＡがはみ出している場合であっても、エキスパンドテープＴの熱収縮によってデバイス間隔を広げた状態で維持することが可能になっている。
【００１７】
以下、ウェーハの加工方法について説明する。図３及び図４は、本実施の形態のウェーハの加工方法の説明図である。図３Ａは分割溝形成ステップ、図３Ｂは保護部材貼着ステップ、図３Ｃは裏面研削ステップ、図３Ｄはウェーハ支持ステップのそれぞれ一例を示す図である。図４Ａ及び図４Ｂは外周破断ステップ、図４Ｃは接着フィルム破断ステップ、図４Ｄ及び図４Ｅはデバイス間隔維持ステップのそれぞれ一例を示す図である。
【００１８】
図３Ａに示すように、先ず分割溝形成ステップが実施される。分割溝形成ステップでは、切削装置（不図示）のチャックテーブル１０上に、ウェーハＷが表面を上方に向けた状態でチャックテーブル１０に保持される。ウェーハＷの径方向外側で切削ブレード１１が分割予定ラインに位置合わせされ、ウェーハＷの後述する仕上がり厚さｔよりも深い位置に切削ブレード１１が降ろされる。この切削ブレード１１に対してチャックテーブル１０が切削送りされることで、ウェーハＷの表面側から分割予定ラインに沿ってハーフカットされて、デバイスチップＣの仕上がり厚さｔよりも深い分割溝１２が形成される。
【００１９】
図３Ｂに示すように、分割溝形成ステップを実施した後には保護部材貼着ステップが実施される。保護部材貼着ステップでは、ウェーハＷの表面にＢＧ（Back  Grind）テープ等の保護部材１５が貼着される。保護部材１５によってウェーハＷの表面が全体的に覆われることで、後段の裏面研削ステップにおいてウェーハＷの表面のデバイスＤがチャックテーブル２０（図３Ｃ参照）上の研削屑等の異物から保護される。なお、保護部材貼着ステップは、マウンタ装置（不図示）によって実施されてもよいし、オペレータの手作業によって実施されてもよい。
【００２０】
図３Ｃに示すように、保護部材貼着ステップを実施した後には裏面研削ステップが実施される。裏面研削ステップでは、研削装置（不図示）のチャックテーブル２０上に保護部材１５を介してウェーハＷが保持され、ウェーハＷの上方に研削手段２１が位置付けられる。チャックテーブル２０が回転されると共に研削手段２１の研削ホイール２２が回転しながらウェーハＷに近づけられ、ウェーハＷの裏面と研削砥石２３が接触することでウェーハＷが仕上がり厚さｔまで研削される。これにより、ウェーハＷの裏面から分割溝１２が表出して、ウェーハＷが個々のデバイスチップＣに分割される。
【００２１】
図３Ｄに示すように、裏面研削ステップを実施した後にはウェーハ支持ステップが実施される。ウェーハ支持ステップでは、分割予定ラインに沿って分割されたウェーハＷの裏面に接着フィルムＡ付きのエキスパンドテープＴが貼着される。エキスパンドテープＴの上面には紫外線硬化型の粘着層が塗布されており、粘着層を介してエキスパンドテープＴに接着フィルムＡが積層されている。すなわち、ウェーハＷ（デバイスチップＣ）の裏面に接着フィルムＡが装着されると共に接着フィルムＡ側にエキスパンドテープＴが貼着されている。また、エキスパンドテープＴの外周部は環状フレームＦによって支持されている。
【００２２】
エキスパンドテープＴは、エキスパンド性を有すると共に所定温度以上の加熱で収縮性を発現する材質で形成されている。接着フィルムＡは、いわゆるＤＡＦ（Dai  Attach  Film）であり、エキスパンドテープＴから剥離されてデバイスチップＣのダイボンディングに使用される。また、接着フィルムＡは、エキスパンドテープＴよりも弾性域が狭く、且つ破断強度が低く構成され、エキスパンドテープＴのようなエキスパンド性や収縮性を有していない。また、デバイスチップＣの裏面にエキスパンドテープＴが貼着された後には、デバイスチップＣの表面から保護部材１５が剥離される。なお、ウェーハ支持ステップは、マウンタ装置（不図示）によって実施されてもよいし、オペレータの手作業によって実施されてもよい。
【００２３】
図４Ａに示すように、ウェーハ支持ステップを実施した後には外周破断ステップが実施される。外周破断ステップでは、ウェーハＷの外周縁からはみ出した接着フィルムＡの下方にピン部材２５が位置付けられる。ピン部材２５がエキスパンドテープＴの裏面側から押し上げられて、エキスパンドテープＴが局所的に引き伸ばされると共に、接着フィルムＡが局所に破断される。ピン部材２５と環状フレームＦが相対的に１回転されることで、ウェーハＷの外周に沿って、ウェーハＷの外周縁からはみ出した接着フィルムＡがリング状に破断される。
【００２４】
より詳細には、図４Ｂに示すように、後段のデバイス間隔維持ステップで加熱される箇所、すなわちウェーハＷの外周と環状フレームＦの内周の間に先端が細くなったピン部材２５が位置付けられる。ピン部材２５によってエキスパンドテープＴが下側から突き上げられると、ピン部材２５の先端によってエキスパンドテープＴが山なりに変形する。エキスパンドテープＴの変形によって接着フィルムＡには引っ張り応力が局所的に作用すると共に、エキスパンドテープＴを介したピン部材２５の突き上げによって接着フィルムＡには剪断応力が局所的に作用する。
【００２５】
これにより、接着フィルムＡの下面から上面に向かって亀裂が入って破断される。このとき、エキスパンドテープＴが破断することがなく、接着フィルムＡだけが破断されている。また、エキスパンドテープＴは、ピン部材２５による突き上げが解除されると元の状態に復帰される。すなわち、ピン部材２５の突き上げ量は、エキスパンドテープＴの変形が弾性域内に抑えられると共に、接着フィルムＡが破断するまで変形するように調整されている。エキスパンドテープＴに傷を付けることなく、ウェーハＷの外周縁からはみ出した接着フィルムＡだけが破断される。なお、外周破断ステップは、後述するエキスパンド装置で実施されてもよいし、オペレータの手作業によって実施されてもよい。
【００２６】
図４Ｃに示すように、外周破断ステップを実施した後には接着フィルム破断ステップが実施される。接着フィルム破断ステップでは、エキスパンド装置（不図示）の環状テーブル３１上に環状フレームＦがクランプ部３２で保持され、ウェーハＷと環状フレームＦの間にチャックテーブル３０の外縁が位置付けられている。環状テーブル３１が下方に移動されることで、チャックテーブル３０が相対的に突き上げられて、エキスパンドテープＴが放射方向に拡張される。これにより、複数のデバイスチップＣの間隔が拡張されると共に接着フィルムＡが個々のデバイスＤに沿って破断される。
【００２７】
この場合、エキスパンドテープＴの拡張中はチャックテーブル３０の吸引は停止され、チャックテーブル３０の吸引力によってエキスパンドテープＴの拡張が阻害されることがない。また、接着フィルムＡのデバイスチップＣに貼着された箇所の拡張は抑えられ、接着フィルムＡのデバイスチップＣに貼着されていない箇所だけが拡張される。上記したように、接着フィルムＡはエキスパンドテープＴよりも弾性域が狭く且つ破断強度が低いため、エキスパンドテープＴの拡張によって接着フィルムＡに引張力が作用してデバイスチップＣの間で破断される。
【００２８】
また、ウェーハＷの外周と環状フレームＦの内周の間で接着フィルムＡが破断されているため、接着フィルムＡの破断箇所でエキスパンドテープＴが拡張し易くなっている。これにより、複数のデバイスチップＣのそれぞれの裏面に、分割予定ラインに沿って破断された小片状の接着フィルムＡが貼着された状態が作り出される。なお、接着フィルム破断ステップでは、事前に接着フィルムＡに対してレーザー光を照射して、個々のデバイスチップＣに沿った破断起点を形成してもよい。これにより、接着フィルムＡをより良好に分割することができる。
【００２９】
図４Ｄに示すように、接着フィルム破断ステップを実施した後にはデバイス間隔維持ステップが実施される。デバイス間隔維持ステップでは、環状テーブル３１が上方に移動されることで、チャックテーブル３０が環状テーブル３１に相対的に接近されてエキスパンドテープＴの拡張が解除される。このとき、チャックテーブル３０上にエキスパンドテープＴが吸引保持された状態で環状テーブル３１が移動される。このため、エキスパンドテープＴのテンションが緩んでも、チャックテーブル３０にエキスパンドテープＴの収縮が抑えられてデバイスチップＣの間隔が拡張されたままで維持される。
【００３０】
また、ウェーハＷの外周と環状フレームＦの内周の間のエキスパンドテープＴのテンションが緩むことで弛み３５（図４Ｅ参照）が発生するが、ウェーハＷの上方に位置付けられたヒータ３３によってエキスパンドテープＴの弛み３５が熱収縮される。ヒータ３３は、エキスパンドテープＴの弛み３５に対して遠赤外線をスポット照射しながらウェーハＷの中心回りに旋回し、ウェーハＷの外周と環状フレームＦの内周の間の領域を加熱している。これにより、エキスパンドテープＴのウェーハＷの外周側が集中的に加熱され、エキスパンドテープＴの弛み３５が全周に亘って収縮される。
【００３１】
このとき、図４Ｅに示すように、エキスパンドテープＴの弛み３５は接着フィルムＡの破断箇所に生じているため、エキスパンドテープＴの弛み３５が収縮することで接着フィルムＡの破断箇所が狭められる。エキスパンドテープＴの収縮によって接着フィルムＡの破断面同士が衝突するが、接着フィルムＡの破断箇所が僅かに隆起することでエキスパンドテープＴの収縮変形が許容される。接着フィルムＡの破断箇所でエキスパンドテープＴが収縮することで、接着フィルムＡ付きのエキスパンドテープＴであっても、接着フィルムＡによってエキスパンドテープＴの収縮が阻害されることがない。
【００３２】
エキスパンドテープＴのウェーハＷの周囲だけが熱収縮されているため、チャックテーブル３０によるエキスパンドテープＴの吸引保持が解除されても、隣接するデバイスチップＣ間に十分な間隔が維持される。このようにして、エキスパンドテープＴの拡張によって接着フィルムＡが分割されると、紫外線の照射によってエキスパンドテープＴの粘着層が硬化されて、接着フィルムＡに対するエキスパンドテープＴの貼着力が低下する。そして、エキスパンドテープＴから接着フィルムＡ付きのデバイスチップＣがピックアップされて、基板等に対するダイボンディングに使用される。
【００３３】
以上のように、本実施の形態のウェーハＷの加工方法によれば、接着フィルムＡがエキスパンドテープＴよりも弾性域が狭く且つ破断強度が低いため、エキスパンドテープＴがピン部材２５で押し上げられて、接着フィルムＡが弾性域を超えた破断強度以上に変形することでウェーハＷの外周側で破断される。このため、接着フィルムＡがエキスパンドテープＴの拡張によってデバイスチップＣの間隔が広げられて、ウェーハＷの外周と環状フレームＦの内周の間が加熱されても、接着フィルムＡの破断によってエキスパンドテープＴの熱収縮が許容される。よって、エキスパンドテープＴの熱収縮が接着フィルムＡによって妨げられることがなく、デバイスチップＣの間隔を広げた状態で維持することができる。
【００３４】
なお、本実施の形態では、分割後のウェーハに接着フィルム付きのエキスパンドテープを貼着して、接着フィルムを分割する構成にしたが、この構成に限定されない。ウェーハは分割されていなくてもよく、ウェーハに分割予定ラインに沿って破断起点が形成されていればよい。したがって、分割溝形成ステップ、保護部材貼着ステップ、裏面研削ステップを実施する代わりに、破断起点が形成されたウェーハを用意して、このウェーハに対してウェーハ支持ステップ、外周破断ステップ、接着フィルム破断ステップ、デバイス間隔維持ステップが実施されてもよい。なお、破断起点は、ウェーハの分割時の起点になればよく、例えば、レーザー加工溝、切削溝、スクライブライン、改質層で形成されていてもよい。また、改質層とは、レーザー光線の照射によってウェーハＷの内部の密度、屈折率、機械的強度やその他の物理的特性が周囲と異なる状態となり、周囲よりも強度が低下する領域のことをいう。改質層は、例えば、溶融処理領域、クラック領域、絶縁破壊領域、屈折率変化領域であり、これらが混在した領域でもよい。
【００３５】
また、本実施の形態では、分割溝形成ステップで切削ブレードによってウェーハの表面側に分割溝を形成する構成にしたが、この構成に限定されない。分割溝形成ステップは、ウェーハの表面側から仕上がり厚さ以上の深さの分割溝を形成可能であればよく、例えば、レーザーアブレーション、プロファイラによって分割溝が形成されてもよい。なお、レーザーアブレーションとは、レーザー光線の照射強度が所定の加工閾値以上になると、固体表面で電子、熱的、光科学的及び力学的エネルギーに変換され、その結果、中性原子、分子、正負のイオン、ラジカル、クラスタ、電子、光が爆発的に放出され、固体表面がエッチングされる現象をいう。
【００３６】
また、本実施の形態では、裏面研削ステップでウェーハの裏面を研削して裏面に分割溝を表出させる構成にしたが、研削後にウェーハの裏面を研磨してもよい。これにより、研削時に生じた研削歪をウェーハの裏面から除去して抗折強度を向上させることができる。
【００３７】
また、本実施の形態では、外周破断ステップでは、ピン部材によってウェーハの外周縁からはみ出した接着フィルムを全周に亘って破断する構成にしたが、この構成に限定されない。外周破断ステップでは、エキスパンドテープの収縮を許容するように接着フィルムを破断していればよく、例えば、ウェーハの外周に沿って断続的に接着フィルムを破断してもよい。また、環状フレームに対してピン部材を動かして接着フィルムを破断してもよいし、ピン部材に対して環状フレームを動かして接着フィルムを破断してもよい。
【００３８】
また、本実施の形態では、接着フィルム破断ステップでは、環状テーブルを下方に移動させることでエキスパンドテープを拡張する構成にしたが、この構成に限定されない。環状テーブルとチャックテーブルの相対的な移動によってエキスパンドテープを拡張すればよく、チャックテーブルを上方に移動させてエキスパンドテープを拡張してもよい。
【００３９】
また、本実施の形態では、ウェーハとしては、半導体基板、無機材料基板、パッケージ基板等の各種ワークが用いられてもよい。半導体基板としては、シリコン、ヒ化ガリウム、窒化ガリウム、シリコンカーバイド等の各種基板が用いられてもよい。無機材料基板としては、サファイア、セラミックス、ガラス等の各種基板が用いられてもよい。半導体基板及び無機材料基板はデバイスが形成されていてもよいし、デバイスが形成されていなくてもよい。パッケージ基板としては、ＣＳＰ（Chip  Size  Package）、ＷＬＣＳＰ（Wafer  Level  Chip  Size  Package）、ＥＭＩ（Electro  Magnetic  Interference）、ＳＩＰ（System  In  Package）、ＦＯＷＬＰ（Fan  Out  Wafer  Level  Package）用の各種基板が用いられてもよい。また、ウェーハとして、デバイス形成後又はデバイス形成前のリチウムタンタレート、リチウムナイオベート、さらに生セラミックス、圧電素子が用いられてもよい。
【００４０】
また、本実施の形態及び変形例を説明したが、本発明の他の実施の形態として、上記実施の形態及び変形例を全体的又は部分的に組み合わせたものでもよい。
【００４１】
また、本発明の実施の形態及び変形例は上記の実施の形態に限定されるものではなく、本発明の技術的思想の趣旨を逸脱しない範囲において様々に変更、置換、変形されてもよい。さらには、技術の進歩又は派生する別技術によって、本発明の技術的思想を別の仕方で実現することができれば、その方法を用いて実施されてもよい。したがって、特許請求の範囲は、本発明の技術的思想の範囲内に含まれ得る全ての実施形態をカバーしている。
【００４２】
また、本実施の形態では、本発明をダイボンディング用の接着フィルムの分割に適用した構成について説明したが、他の接着フィルムの分割に適用することも可能である。
【産業上の利用可能性】
【００４３】
以上説明したように、本発明は、接着フィルム付きのウェーハの分割後にデバイス間隔を広げた状態で維持することができるという効果を有し、特に、接着フィルムを半導体デバイスチップに沿って分割するウェーハの加工方法に有効である。
【符号の説明】
【００４４】
１２  ：分割溝
１５  ：保護部材
２５  ：ピン部材
３３  ：ヒータ
Ａ    ：接着フィルム
Ｄ    ：デバイス
Ｆ    ：環状フレーム
Ｔ    ：エキスパンドテープ
Ｗ    ：ウェーハ
【図１】
2019096801.tif 000003
【図２】
2019096801.tif 000004
【図３】
2019096801.tif 000005
【図４】
2019096801.tif 000006